(57)【要約】【課題】イチゴの栽培における作業効率を向上させる。【解決手段】イチゴ栽培用具は、イチゴの花房４１を支持する支持面１ａを分離板１と、支持面１ａに対して花房４１を係留する留め具２とを備え、留め具２は、少なくとも２つの端部５を有し、支持面１ａには、端部５を挿入可能な開口部（または凹部）４が形成されており、支持部材１は、プランタ５０が設置された設置面に立てた垂線に対して傾くように、プランタ５０に対して設置可能である。【選択図】図１
2014226057.tif 000002
【特許請求の範囲】
【請求項１】
イチゴの花房を支持する支持面を有する支持部材と、
上記支持面に対して上記花房を係留する係留部材とを備え、
上記係留部材は、少なくとも２つの端部を有し、
上記支持面には、上記端部を挿入可能な開口部または凹部が形成されており、
上記支持部材は、上記イチゴの栽培容器が設置された設置面に立てた垂線に対して傾くように、上記栽培容器に対して配置可能であることを特徴とするイチゴ栽培用具。
【請求項２】
イチゴの花房を支持する支持面を有する支持部材と、
上記支持面に対して上記花房を係留する係留部材とを備え、
上記係留部材は、磁石を含む少なくとも２つの端部を有し、
上記支持部材は、上記磁石を固定可能な磁性体を有しており、上記イチゴの栽培容器が設置された設置面に立てた垂線に対して傾くように、上記栽培容器に対して配置可能であることを特徴とするイチゴ栽培用具。
【請求項３】
上記係留部材の表面の少なくとも一部に緩衝部材が配されていることを特徴とする請求項１または２に記載のイチゴ栽培用具。
【請求項４】
上記係留部材は、情報の記録および読み出し可能な記録媒体を備えていることを特徴とする請求項１〜３のいずれか１項に記載のイチゴ栽培用具。
【請求項５】
請求項１〜４のいずれか１項に記載のイチゴ栽培用具と、
上記支持面の上方に敷設されたガイド部材と、
上記ガイド部材を利用して移動または回転する受粉部とを備え、
上記受粉部は、繊維状物質を有していることを特徴とする受粉システム。
【発明の詳細な説明】
【技術分野】
【０００１】
本発明は、イチゴを栽培するためのイチゴ栽培用具および受粉システムに関する。
【背景技術】
【０００２】
近年、温度、湿度、光照射時間等、環境パラメータを制御した人工環境下において植物を工業的に栽培する植物工場の開発が盛んである。植物を工業的に栽培する場合、農家などの熟練した生産者が従来行っていた作業工程を簡素化、マニュアル化することにより、非熟練者によっても効率的に植物を栽培できるようにすることが検討されている。
【０００３】
特許文献１には、花芽と葉部とを分ける苺の果実出し器が記載されている。この果実出し器は、花芽を通す通過部を備えた葉部遮断部材を備えており、通過部の下側は開放されている。
【０００４】
特許文献２には、複数の櫓と、棟紐と、網とで構成された栽培床に立設する櫓網床装置について記載されている。
【０００５】
特許文献３には、植物上にほぼ水平に張られた可撓性を有する幹線等によって、植物の主枝および側枝を振動させることによって、花粉を散らすことによってめしべに受粉させる自動的受粉装置について記載されている。
【先行技術文献】
【特許文献】
【０００６】
【特許文献１】特開平０９−２３３９３９号公報（１９９７年９月９日公開）
【特許文献２】特開２００３−２２５０２３号公報（２００３年８月１２日公開）
【特許文献３】特開２００２−１１２６５３号公報（２００２年４月１６日公開）
【非特許文献】
【０００７】
【非特許文献１】東京都産業労働局農林水産部調べ  都内直売農家における促成イチゴの経営事例[平成２５年４月１７日検索]、インターネット＜http://www.sangyo-rodo.metro.tokyo.jp/norin/sogoannai/siken/2008/6.pdf＞
【発明の概要】
【発明が解決しようとする課題】
【０００８】
イチゴの栽培において、収穫までの間には多くの手作業が必要である。非特許文献１では、イチゴの栽培において、１０アール当たりの投入時間は少なくとも１０００時間以上であることが記載されている。ここで、イチゴの栽培への投入時間のうち、収穫には１６％の時間を費やし、毎日の摘果（不良果実の除去）、摘葉（古い下葉の除去）などの作業に、３９．８％もの時間を費やしている。このため、これらの膨大な手作業の負担を軽減することが必要とされている。
【０００９】
イチゴの花房は、クラウンと呼ばれるイチゴ株の中央付近から成長し、通常最初は葉群に隠れて存在している。このため、作業者は、イチゴの摘果およびイチゴの摘葉といった作業の度に、視認によって葉群に隠れた花房の位置を逐一判別しなければならない。また、花房の位置を判別するに際して、作業者は、果実に傷がつかないように配慮しながら作業を行なうことが必要になる。このため、これらの作業は、投入時間が長くなり、また非熟練者にとっては困難な業務となっている。
【００１０】
また、人工光下での室内栽培においては、太陽光が届かないため、蜂は方向感覚を失い正常な飛翔ができない。このため、室内栽培のような人工環境においては、蜂による受粉は適さない。しかし、蜂による受粉を行なわない場合、筆等によって、個々の花にある複数のめしべのそれぞれに逐一受粉する必要がある。このため、受粉に際しても、摘果および摘葉の作業の場合と同様に、作業の度に葉群に隠れた花房を探して作業をすることになる。従って、受粉作業においても、相当な時間を要することになる。
【００１１】
さらに、次の栽培にフィードバックするために、非熟練者は、従来の熟練者が慣行していた栽培作業ともに、栽培状況のデータの記録も行わなければならない。従って、さらなる業務の効率化が求められる。
【００１２】
特許文献１のイチゴの果実出し器では、花芽を通す通過部を備えた葉部遮断部材によって花房と葉群とを分離することはできる。しかし、花托が軽い成熟していない花房と、花托が重い成熟した花房とにおいて花房の高さにばらつきが生じる問題がある。また、未成熟である軽い花托は果実だし器から垂れ下がらず、葉群からの分離が不十分となる問題がある。さらに、葉部遮断部材により葉群の領域が限定されるため、葉群が密集し、光合成の効率が低下する問題がある。
【００１３】
特許文献２の櫓網床装置では、花房を確認した段階から保持することはできず、棚部や網床部に誘導したりする玉乗せ作業を、花房の伸長に合わせて行う必要がある。このため、花房がある程度成熟するまでの間は、逐一花房の成長を確認するという熟練を要する作業があるという問題がある。
【００１４】
特許文献３の自動受粉装置では、振動によって花粉を散らすことで受粉を行なうが、イチゴの栽培においては、個々のイチゴの花にある複数のめしべのそれぞれに高い確率で花粉を付着させることが必要となる。この点において、特許文献３の自動受粉装置では、筆を用いた直接接触による受粉と比較して受粉確率が高くないという問題がある。
【００１５】
本発明は上記の問題点を解決するためになされたもので、その目的は、イチゴの栽培において、作業効率を向上させ、作業投入時間を短縮することができるイチゴ栽培用具および受粉システムを提供することにある。
【課題を解決するための手段】
【００１６】
上記課題を解決するために、本発明の一態様に係るイチゴ栽培用具は、イチゴの花房を支持する支持面を有する支持部材と、上記支持面に対して上記花房を係留する係留部材とを備え、上記係留部材は、少なくとも２つの端部を有し、上記支持面には、上記端部を挿入可能な開口部または凹部が形成されており、上記支持部材は、上記イチゴの栽培容器が設置された設置面に立てた垂線に対して傾くように、上記栽培容器に対して配置可能であることを特徴としている。
【００１７】
また、上記課題を解決するために、本発明の一態様に係るイチゴ栽培用具は、イチゴの花房を支持する支持面を有する支持部材と、上記支持面に対して上記花房を係留する係留部材とを備え、上記係留部材は、磁石を含む少なくとも２つの端部を有し、上記支持部材は、上記磁石を固定可能な磁性体を有しており、上記イチゴの栽培容器が設置された設置面に立てた垂線に対して傾くように、上記栽培容器に対して配置可能であることを特徴としている。
【発明の効果】
【００１８】
本発明の一態様によれば、イチゴの花房が確認された時に、イチゴの葉群から離して花房を支持部材の支持面に対して係留することができる。そのため、花房への受粉、摘果、および収穫等の作業ごとにイチゴ株に隠れた花房の位置を確認する必要はない。従って、作業を効率的に行なうことができるという効果を奏する。
【図面の簡単な説明】
【００１９】
【図１】本発明の一実施形態に係るイチゴ栽培用具の概略を説明する斜視図である。
【図２】本発明の一実施形態に係るイチゴ栽培用具が有する支持部材およびその変形例を説明する図である。
【図３】本発明の一実施形態が有する係留部材およびその変形例を説明する図である。
【図４】本発明の一実施形態に係るイチゴ栽培用具の概略を説明する斜視図である。
【図５】本発明の一実施形態に係るイチゴ栽培用具が有する支持部材および係留部材の概略を説明する図である。
【図６】本発明の一実施形態に係るイチゴ栽培用具が有する係留部材の形態を例示する図である。
【図７】本発明の一実施形態に係るイチゴ栽培用具が有する支持部材の上面図および側面図である。
【図８】本発明の一実施形態に係るイチゴ栽培用具の概略を説明する側面図である。
【図９】本発明の一実施形態に係るイチゴ栽培用具の概略を説明する斜視図および側面図である。
【図１０】本発明の一実施形態に係る受粉システムの概略を説明する斜視図である。
【図１１】本発明の一実施形態に係る受粉システムが有する受粉部の概略を説明する断面図である。
【発明を実施するための形態】
【００２０】
＜実施形態１＞
本発明の一実施形態に係るイチゴ栽培用具について図１〜図３を用いて説明すれば、以下の通りである。図１は、本発明の一実施形態に係るイチゴ栽培用具２０の概略を説明する斜視図である。
【００２１】
（イチゴ栽培用具２０の構成）
本実施形態に係るイチゴ栽培用具２０は、イチゴの花房４１を支持する傾斜した支持面１ａを有する分離板（支持部材）１と、支持面１ａに対して花房４１を係留する留め具（係留部材）２とを備えている構成である。
【００２２】
なお、支持面１ａとは、分離板１の花房を乗せて係留する側の面のことをいう。
【００２３】
図２の（ａ）は、本実施形態に係るイチゴ栽培用具２０が有する分離板１を説明する図であり、図２の（ｂ）は、本実施形態の変形例に係るイチゴ栽培用具が有する分離板１０を説明する図である。
【００２４】
図１および図２の（ａ）に示す通り、分離版１は、棒状の部材を格子状に組み上げた板によって構成される。分離板１は、格子に留め具２を固定、または係留させることができるようになっている。
【００２５】
分離板１は、イチゴの栽培容器であるプランタ５０が設置された設置面に立てた垂線に対して傾くように、プランタ５０に対して配置可能である。より具体的には、分離板１は、プランタ５０の縁部から鉛直斜め下方向に延出しており、プランタ５０で栽培されているイチゴ株４０の葉群よりも鉛直下方向における位置でイチゴの花房４１を保持することができる。そのため、分離板１に対して花房４１を係留することにより、花房４１を葉群から分離することができる。
【００２６】
この分離板１は、イチゴの花房、果実、および留め具等の荷重に耐えられるものであれば、特に材質は限定されず、アルミ、ステンレスなどの金属、またはプラスチック材料等を用いることができる。
【００２７】
分離板１の縦幅および横幅は、プランタ（イチゴの栽培容器）５０の大きさに合わせて適宜調整すればよい。ここで、分離板１の格子の開口部の大きさ（縦幅×横幅）は、２．５ｃｍ×２．５ｃｍ以下の範囲内であることが好ましい。支持部材１の格子の縦幅×横幅を上述の範囲内にすることによって、イチゴの果実が格子を通して、分離板１の下に脱落することを防止できる。
【００２８】
また、分離板１を設置したときの傾斜角度は、プランタ５０が載置されている載置面（床）に立てた垂線に対して、０°よりも大きく、９０°以下であることが好ましい。これによって、分離板１の上において、イチゴの花芽の重量が分散される。従って、イチゴの茎の一部に花芽による荷重が集中することがなく、イチゴの茎に負担をかけないようにすることができる。
【００２９】
図３の（ａ）は、本実施形態に係るイチゴ栽培用具２０が有する留め具２を説明する図面であり、図３の（ｂ）および（ｃ）は本実施形態の変形例に係るイチゴ栽培用具が有する留め具２Ａ・２Ｂを説明する図である。
【００３０】
図３の（ａ）に示す通り、留め具２は、クリップ型の形態をしており、リング部分２ａを開放することができるようになっている。これによって、留め具２のリング部分２ａの内側に花房４１の茎を導入し、かつ分離板１の格子部分を挟むようにして固定することができる。これによって、花房４１を分離板１の上に係留することができる。また、留め具２のリング部分２ａの内側に、花房４１の茎と分離板１の格子の一部を同時に導入することによって、花房４１を分離板１の上に係留することもできる。
【００３１】
留め具２ａは、イチゴの花房を係留できるものであれば、特に材質は限定されず、アルミ、ステンレスなどの金属、またはプラスチック材料等を用いることができる。また、本実施形態に係るイチゴ栽培用具２０では、留め具２の表面の少なくとも一部に緩衝部材３が配されていることが好ましい。つまり、図３の（ａ）に示す通り、留め具２のリング部分２ａの内側は、ゴム、プラスチック等の可撓性材料であることが好ましい。留め具２のリング部分２ａの内側に可撓性を有する緩衝部材３を用いることによって、イチゴの花芽に傷をつけることを防止することができる。また、留め具２は、花房４１の数に応じて複数備えることが好ましい。
【００３２】
また、留め具２のリング部分２ａの内側の面によって形成される環状形状の短径（最も短い径）は５ｍｍ以上、２０ｍｍ以下の範囲内であることが好ましい。留め具２のリング部分の内径が当該範囲内であれば、花房４１の茎を留め具２のリング部分の内側に導入し、分離板１の上に好適に係留することができる。
【００３３】
（イチゴ栽培用具２０の使用の態様）
図１に示す通り、分離板１の一端はプランタ５０の端部に設置され、分離板１はイチゴ株４０から離れた位置に設置されている。留め具２は、イチゴ株４０から伸長した茎に成長した花房４１を留め具２のリング部分２ａの内側に導入し、分離板１の格子の一辺を挟むことによって、分離板１に固定されている。このような構成によって、イチゴ栽培用具２０は、イチゴ株４０の葉群４０ａから離れた位置に花房４１を係留することが可能となる。
【００３４】
（効果）
上記の構成により、留め具２を固定する位置を調整することによって、花房４１を分離板１の上に整列させることができる。また、花房４１は、留め具２によって分離板１の支持面の上に係留されるため、花托４２が軽い成熟していない花房４１と、花托４２が重い成熟した花房４１とにおいて花房４１の高さにばらつきが生じることがない。
【００３５】
このため、作業者は、イチゴの摘果およびイチゴの摘葉といった作業の度に、視認によって葉群に隠れた花房の位置を逐一判別する必要がなくなる。このため、作業者が果実に傷がつかないように配慮しながら摘果などの作業を行なうときの負担を軽減することができる。
【００３６】
また、受粉に際しても、摘果および摘葉の作業の場合と同様に、作業の度に葉群に隠れた花房を探して作業をする必要がなくなる。また、花房４１は、分離板１の支持面上に留め具２によって高さのばらつきなく整列して係留されるため、受粉および果実の収穫などの作業を好適に行なうことができる。従って、作業効率を向上させ、作業投入時間を短縮することができる。また、非熟練者であっても好適に作業を行なうことができる。
【００３７】
また、イチゴ栽培用具２０は、イチゴ株４０の葉群４０ａから離れた位置に整列した状態で花房４１を係留することが可能であるため、プランタ５０において成長するイチゴ株４０の葉群４０ａの領域を限定しないようにすることができる。従って、分離板１によって葉群４０ａを密集させることがないため、イチゴの葉群４０ａは十分な栽培光を受けることができるようになる。
【００３８】
＜変形例＞
以下、本実施形態の変形例について説明する。
【００３９】
（支持部材および留め具）
図１、図２の（ａ）、および図３の（ａ）において、本実施形態では、格子状の支持面１ａを構成する分離板１と、クリップ型の留め具２とを使用した場合について説明した。しかし、本実施形態はこれに限定されるものではない。
【００４０】
例えば、本実施形態に係るイチゴ栽培用具２０では、留め具は、少なくとも２つの端部５を有し、板状の支持部材１０の支持面１０ａには、端部５を挿入可能なように開口部（または凹部）４が形成されているという構成にすることもできる。
【００４１】
例えば、図２の（ｂ）に示す通り、分離板１０は、支持面において縦横になど、所定の間隔で配列された複数の開口部（または凹部）４を備えており、任意の開口部（または凹部に）４に留め具の端部を挿入することができるようになっている。
【００４２】
また、例えば、図３の（ｂ）に示す通り、留め具２Ａは、２つの端部５を有するピン型の形態を採用することができる。
【００４３】
ここで、ピン型の留め具２Ａの２つの端部５の間に花房４１の茎を通し、分離板１０に多数設けられた開口部（または凹部に）４のうちの任意の開口部４に留め具２Ａの２つの端部５を挿入することによって、花房４１を分離板１０の上に係留することができる。
【００４４】
また、もう一つの例において、図３の（ｃ）に示す通り、留め具２Ｂは、リング部分２Ｂａを開放することができるカートリング型の形態を採用することもできる。
【００４５】
ここで、カートリング型の留め具２Ｂのリング部分２Ｂａを開放し、リング部分２Ｂａの内側に花房４１の茎および分離板１の格子を導入した後に、留め具２Ｂのリングを閉鎖することによって、分離板１の上に花房４１を係留することができる。
【００４６】
これら変形例においても、留め具２の場合と同様に、留め具２Ａおよび留め具２Ｂは、表面の少なくとも一部（特に湾曲部の内側）にゴムまたはプラスチックなどの緩衝部材３Ａおよび３Ｂが配されていることが好ましい。
【００４７】
＜実施形態２＞
本発明の一実施形態に係るイチゴ栽培用具２１について図４および図５を用いて説明すれば、以下の通りである。図４は、本発明の一実施形態に係るイチゴ栽培用具２１の概略を説明する図である。
【００４８】
本発明の一実施形態に係るイチゴ栽培用具２１は、留め具（係留部材）２’は、磁石を含む少なくとも２つの端部５’を有し、分離板（支持部材）１’は、上記磁石を固定可能な磁性体を有している構成である。
【００４９】
図５の（ａ）は、本実施形態に係るイチゴ栽培用具２１が有する分離板１’の概略を説明する図である。また、図５の（ｂ）は、本実施形態に係るイチゴ栽培用具２１が有する留め具２’の概略を説明する図である。
【００５０】
図４および図５の（ａ）に示す通り、分離板１’は、表面が平坦な板状の部材から構成される。ここで、分離板１’は、留め具２’の磁石を含む端部５’によって、分離板１’に固定できるようになっている。従って、分離板１’は、留め具を挿入するための開口部または凹部を設けない構成とすることができる。分離板１’には、鉄などの磁性体を混入したプラスチック（樹脂）板、若しくは裏面または内部に磁性体として機能する板状部材（鉄板など）を有するプラスチック板などを使用することができる。
【００５１】
留め具２’は、少なくとも２つの端部５’を有している。留め具２の端部５’以外の部分については、特に材質は限定されず、鉄、アルミ、ステンレスなどの金属、またはプラスチック材料などを用いることができる。留め具２’は、２つの端部５’の間の幅が１０ｍｍ以上、３０ｍｍ以下の範囲内であることが好ましい。また、留め具２’を分離板１’に固定したときにおける、分離板１’の支持面１’ａから留め具２’の内側の高さは、１０ｍｍ以上、３０ｍｍ以下範囲内であることが好ましい。留め具２’の内側の幅をこれらの範囲内にすることによって、花房４１の茎を好適に係留することができる。また、留め具２’の表面の少なくとも一部（特に、留め具２’の湾曲部の内側）には緩衝部材３’が配されていることが好ましい。また、留め具２’は、花房４１の数に応じて複数設けることができる。
【００５２】
端部５’は、分離板１’の支持面１’ａに接する面が平坦になっている。これによって、留め具２’は、分離板１’の支持面１’ａの上に立った状態で磁力によって固定される。なお、端部５’には、永久磁石などの強磁性体を使用することができる。また、端部５’は、強磁性体を封止材によって封止したものであってもよい。
【００５３】
また、プランタ（栽培容器）５０の側面を、分離板１’の代用としてもよい。すなわち、プランタ５０の側面を、当該プランタ５０の設置面に対して傾斜するよう形成し、当該側面に磁性体を含ませてもよい。
【００５４】
（効果）
上記のような構成によって、イチゴ栽培用具２１は、図４に示す通り、イチゴ株４０から離れた分離板１’の支持面の上に花房４１の茎を係留することができる。従って、実施形態１の場合と同様の効果を得ることができる。
【００５５】
また、イチゴ栽培用具２１では、留め具２’は、分離板１’の支持面上に磁力によって固定される。このため、分離板１’の支持面に開口部または凹部を設ける必要がなく、支持面を平坦な構成にすることができる。このため、開口部または凹部にイチゴの葉および花びらなどの老廃物が蓄積されることがなく、好適に衛生に保つことができる。
【００５６】
また、留め具２’は、磁力によって分離板１’の平坦な支持面に固定される。このため、留め具２’を分離板１’から脱着するときに、引っ掛かりなどによって留め具２’が変形することがない。従って、繰り返し使用する場合において、メンテナンスに係る負担を軽減することができる。
【００５７】
＜実施形態３＞
本発明の一実施形態に係るイチゴ栽培用具が有する留め具２’の形態について図６を用いて説明すれば、以下の通りである。図６は、本発明の一実施形態に係るイチゴ栽培用具が有する留め具（係留部材）２’の形態を例示する図である。
【００５８】
（係留部材の形態）
実施形態１および実施形態２において、留め具２・２’は、分離板１・１’の支持面１ａ・１’ａの上に花房の数に応じて複数設けることができるような構成である。ここで、本発明の一実施形態に係るイチゴ栽培用具では、外見が互いに異なる複数種類の留め具２’・２’ａ・２’ｂを備えている構成である。
【００５９】
実施形態２に係るイチゴ栽培用具２１が備えている留め具２’を例にして、外見が互いに異なる例を、図６に示す。図６は留め具２’に互いに異なる色を付与した例（留め具２’ａ、２’ｂ）を示している。なお、留め具２Ａ・２Ｂについても同様の構成を適用することができる。
【００６０】
ここで、留め具２・２’の外見が互いに異なるようにするための例としては、留め具２・２’の色彩を変化させる例のみならず、模様、形状を変化させる例を挙げることができる。
【００６１】
留め具２’の形態において、色は、目視によって互いに異なる色であると認識できる程度の違いがあればよく、例えば、赤と青とのように異なる色相の色によって区別できるようにしてもよい。また、赤色と桃色とのように同一の色相において、彩度と明度を調整することによって区別するようにしてもよい。
【００６２】
また、図６の例に限らず、留め具２’のそれぞれに互いに異なる模様を付してもよい。これらの模様は、互いに異なるものであれば特に限定されず、記号、漢字、ひらがな、カタカナ、および英数字などの文字でもよく、これらを組み合わせたものでもよい。また、花房を係留した日にちなどの情報を表す数字などを用いることもできる。
【００６３】
また、留め具２’の形状の一部を互いに異ならせてもよい。例えば、留め具２’の表面に突起部を設け、設ける突起部の数を互いに異ならせてもよい。
【００６４】
上記の色、模様、および形状は、いずれかのみを変化させることによって留め具の互いの外見を異なるようにしてもよく、２以上を組み合わせることによって留め具の互いの外見を異なるようにしてもよい。なお、図６に例示する形態の変化は、他の型の留め具にも同様に適用することができる。
【００６５】
また、本実施形態に用いられる複数の留め具２・２’は、３１種類以上の形態（外観）の違いによって互いに区別できるようにすることが好ましい。つまり、ひと月の最大日数以上の種類の形態によって、留め具２・２’を互いに区別できるようにすることが好ましい。一般に、イチゴの花房の発生から花托の結実までには、３０日前後の日数を要する。このため、花房４１を係留した日によって互いに形態の異なる３１種類以上の留め具２・２’を使い分けることで、花房４１の発生日から収穫の日までに要した日数を適切に判断し、記録することができるようになる。
【００６６】
（記録媒体）
また、イチゴ栽培用具２０・２１が有する留め具２・２’は、情報の記録および読み出し可能な記録媒体を備えている構成にすることができる。
【００６７】
記録媒体としては、ＲＦＩＤ（Ｒａｄｉｏ  Ｆｒｅｑｕｅｎｃｙ  ＩＤｅｎｔｉｆｉｃａｔｉｏｎ）チップなどの記録媒体を用いることができる。また、筆記用具によって情報を直接記入することができるタグなどを用いてもよい。
【００６８】
（効果）
植物工場においては、栽培環境の制御によって、イチゴなどの収穫期が限定される植物を年中栽培することが可能になる。また、栽培環境の制御によって、イチゴの収量の増減に影響する花房の累積出現数および花托の育成日数などのパラメータを収集することが有用になる。
【００６９】
ここで、上記の構成を備えることによって、栽培に関するデータを効率的に取得することができるようになる。さらに、ＲＦＩＤチップを用いることによって、栽培時における情報収集および情報の評価も含めた作業時間の短縮を達成することができる。このため、非熟練者が情報の記録作業を行なう場合であっても、記録に要する時間を短縮することができる。
【００７０】
また、記録媒体を用いることによって、栽培に関する各種条件および収量に関するデータを好適に取得し、評価することができる。このため、評価後のデータを、以後の栽培におけるイチゴの収量の増大のためにフィードバックすることができる。
【００７１】
＜実施形態４＞
本発明の一実施形態に係るイチゴ栽培用具２２が有する支持部材の形態について図７を用いて説明すれば、以下の通りである。図７は、本発明の一実施形態に係るイチゴ栽培用具２２が有する分離板（支持部材）１”の概略を説明する図であり、（ａ）は分離板１”の上面図であり、（ｂ）は、分離板１”の平面図である。
【００７２】
実施形態１〜３に係る分離板１・１’は、当該分離板の一端がプランタ５０の端部に接するようにして、プランタ５０の外側に傾斜をつけて設置するものであってもよい。例えば、本実施形態に係るイチゴ栽培用具が有する分離板１”は、分離板１’の外周部の一辺に設けられたヒンジ６と、ヒンジ６を介して分離板１’に接続された装着部材７とをさらに備えている構成である。
【００７３】
（分離板１”の構成）
図７（ａ）および（ｂ）に示す通り、分離板”は、例えば、実施形態２に係るイチゴ栽培用具２１が備える分離板１’の外周部の一辺にヒンジ６を設け、ヒンジ６を介して分離板１’に接続された装着部材７を備えるようにすることができる。
【００７４】
ヒンジ６は、分離板１’に対して、装着部材７を任意の角度に保持できるようになっている。ヒンジ６には、トルクヒンジを用いての任意の角度に保持できるようにしてもよく、ステー（図示しない）を用いて任意の角度に保持できるようにしてもよい。
【００７５】
装着部材７は、プランタ５０の培地中もしくは内壁側に挿入することによって、プランタ５０に分離板１”を装着することができる。また、装着部材７は、ヒンジ６に接続する側の一辺に対向する一辺が鋭角状になった板部材によって構成され、プランタ５０の培地中もしくは内壁側に好適に挿入することができるようになっている。また、装着部材７は、鉄、アルミ、ステンレスなどの金属によって成形してもよいし、樹脂材料によって成形してもよい。
【００７６】
（使用の態様）
図８は、本実施形態に係るイチゴ栽培用具２２の概略を説明する側面図である。
【００７７】
図８に示す通り、イチゴ栽培用具２２が有する分離板１”では、装着部材７をプランタ５０の培地中もしくは内壁側に挿入することによって、分離板１”をプランタ５０に固定する。このため、分離板１”の支持面の角度を任意の角度で固定することができる。このため、栽培時には茎に負担がかからない角度に支持面１”ａを固定することができる。また、受粉時および収穫時には作業者の都合に合わせて作業しやすい角度に支持面１”ａを固定することができる。従って、作業を効率的に行なうことができるようになる。
【００７８】
＜実施形態５＞
本発明の一実施形態に係るイチゴ栽培用具２３について図９を用いて説明すれば、以下の通りである。図９の（ａ）は、本発明の一実施形態に係るイチゴ栽培用具２３の概略を説明する斜視図であり、図９の（ｂ）は、イチゴ栽培用具２３の概略を説明する側面図である。
【００７９】
図９に示す通り、本実施形態に係るイチゴ栽培用具２３は、分離板１’の支持面１’ａによって支持された花房４１に到達する光を遮る遮光板８をさらに備えている構成である。また、本実施形態に用いられる遮光板８は、プランタ（イチゴの栽培容器）５０に対して任意の角度で遮光板８を固定する固定部９を備える構成である。
【００８０】
（遮光板８の構成）
図９（ａ）および（ｂ）に示す通り、遮光板８は、イチゴの花房に到達する光を遮る板状の部材であり、分離板１に固定部９によって固定されている。遮光板８は、光を遮る材料であれば、材質は特に限定されず、金属、プラスチックなどを使用することができる。また、遮光用のシートを任意のサイズの枠に固定することによって遮光板として用いてもよい。
【００８１】
また、遮光板８は、栽培光を反射する反射面を有していることが好ましい。遮光板８が、反射面を有することによって、反射面に反射した反射光を葉群４０ａに照射することができるようになる。従って、花房への光の照射を遮断しながら、葉群４０ａの光合成の効率を上げることができる。ここで、反射面は、９０％以上の光の反射率を有していることが好ましい。
【００８２】
固定部９は、分離板１’と遮光板８とを固定する部材である。固定部９は、分離板１’に対する遮光板８との角度を一定になるように固定してもよい。また、図９（ｂ）に示す通り、固定部９はトルクヒンジなどによって任意の角度で遮光板８を分離板１’に固定できるようにしてもよい。ここで、遮光板８が反射面を有している場合、反射光がイチゴの葉群４０ａにあたるように、水平面に対して１°以上の傾斜をつけて固定部９を固定することが好ましい。なお、固定部９は、遮光板８と分離板１’とを必要に応じて脱着可能なように固定してもよい。
【００８３】
（使用の態様）
図９に示す通り、遮光板８は、留め具２’によって分離板１’の支持面１’ａの上に係留された花房４１の上の空間に、花房４１に照射される光を遮断するように固定されている。従って、分離板１’から離れた位置にあるプランタ５０に植えられたイチゴ株４０の葉群４０ａに対しては、遮光しないようになっている。つまり、イチゴ栽培用具２３では、イチゴの花房４１に対しては十分に遮光しつつ、イチゴの葉群４０ａに対しては十分な光を照射することができる。
【００８４】
（効果）
イチゴ株の葉群から離れた位置にイチゴの花房を分離する理由は、白ろう果の発生を防止するためであることが、特許文献１においても記載されている。通常、イチゴの生産者の間では、果実に日光を当てることによって白ろう果の発生を予防する。しかし、一方では、イチゴの花房を遮光してイチゴを栽培した場合に、花托が色付かず白いままに成長したものの、甘く結実したという実験も行われている。また、品種改良によって赤く色づかないイチゴ（三好アグリテック株式会社、品種名：初恋のかおり）も開発されており、希少品として取り扱われている。
【００８５】
イチゴのような花托にアントシアニンを蓄積する果実においては、花托が光を受けることによって遺伝子が発現し、果実が赤くなると考えられている。上記の構成をとることによって、イチゴ栽培用具２３は、他の実施形態におけるイチゴ栽培用具の効果を備えつつ、葉群に十分な光を照射することによって花托４２（果実）を十分に成長させ、同時に花托４２を擁する花房４１に対して遮光することによって、希少である白いイチゴを意図的に生産することができる。
【００８６】
＜実施形態６＞
本発明の一実施形態に係る受粉システム３０について図１０および図１１を用いて説明すれば、以下の通りである。図１０は、本発明の一実施形態に係る受粉システム３０の概略を説明する図である。
【００８７】
（受粉システム３０の構成）
本発明の一実施形態に係る受粉システム３０は、本発明に係るイチゴ栽培用具２０〜２３のいずれかを含んでいる。ここでは、イチゴ栽培用具２１を含む受粉システム３０について説明する。受粉システム３０は、分離板１’の支持面１’ａの上方に敷設された索道ロープ（ガイド部材）１１と、索道ロープ１１の移動に伴い移動する受粉部１２とを備え、受粉部１２は、繊維状物質１２ｂを有している構成である。
【００８８】
索道ロープ１１は、受粉部１２の移動経路を規定する部材であり、支持面１’ａ上に係留された花房４１に受粉部１２が接触できる位置に敷設されている。敷設された索道ロープ１１の端部に位置する駆動装置（図示しない）を用いて索道ロープ１１を動かすことによって、索道ロープ１１は、索道ロープ１１に固定された受粉部１２を移動および回動できるようになっている。
【００８９】
索道ロープ１１は、受粉システム３０に少なくとも１つあればよいが、分離板１’の支持面１’ａにおいて花房４１が係留される幅を考慮して複数設けてもよい。
【００９０】
なお、受粉部１２を移動させる方法として、索道ロープ１１を移動させる方法以外の方法を利用してもよい。例えば、索道ロープ１１を固定し、その索道ロープ１１に沿って受粉部１２が移動する構成を用いてもよい。この構成では、受粉部１２は、索道ロープ１１に沿って移動するための駆動装置を備えている。また、駆動装置を備えた受粉部１２が、レール（ガイド部材）に沿って移動する構成を用いてもよい。
【００９１】
また、受粉部１２を移動させることなく、定位置に配置し、その位置において受粉部１２回転させることで受粉を行ってもよい。
【００９２】
図１１は、本実施形態に係る受粉システム３０が有する受粉部１２の概略を説明する図である。
【００９３】
受粉部１２は、花粉を付着して花房４１に受粉するための部材であり、索道ロープ１１を利用して移動する。図１１に示す通り、受粉部１２は、索道ロープ１１に固定するための固定部１２ａを備えており、当該固定部１２ａを中心として繊維状物質１２ｂを放射線状に有している。受粉部１２は、直径１０ｃｍ以上、２０ｃｍ以下であることが好ましい。なお、受粉部１２を複数設けることによってより好適に受粉を行なうことができる。
【００９４】
固定部１２ａは、索道ロープ１１に受粉部１２を固定する部材である。固定部１２ａは、固定部１２ａの中心部の空洞に索道ロープ１１を通して、受粉部１２を索道ロープに固定するようになっている。また、固定部１２ａは、索道ロープ１１を固定する空洞以外の部位に放射線状に繊維状物質１２ｂを備えている。
【００９５】
繊維状物質１２ｂは、おしべの花粉を付着させ、めしべに受粉させるために用いられる。繊維状物質１２ｂの材料には、植物性繊維、動物性繊維、および化学繊維などを用いことができるが、特に、ポリエチレンテレフタレートなどの静電気を帯びやすい化学繊維またはテープを用いることが好ましい。
【００９６】
通常、花房４１のめしべは負に帯電しており、花粉は正に帯電している。このため、受粉部１２が静電気を帯びていることで、受粉部１２を花房に接触させたときに正に帯電した花粉を好適に吸着することができる。また、花房４１のめしべは負に帯電しているため、正に帯電した花粉を受粉部１２から好適に受粉することができる。
【００９７】
また、受粉システムは、１日に１回以上自動的に受粉するようにプログラムによって制御することもできる。
【００９８】
（受粉システム３０の使用の態様）
図１０に示す通り、花房４１は、索道ロープ１１の下に位置するように、留め具２’によって支持面１’ａの上に係留されている。花房４１は、負の重力屈性によって、重力方向の反対側、つまり鉛直上方向を向く性質を有している。従って、手作業によって逐一花房４１の向きを調整しなくても、花房４１は、花房４１の上を移動する受粉部１２に接触しやすい方向に自らを向ける。
【００９９】
索道ロープ１１の移動に伴って、受粉部１２は花房４１のおしべおよびめしべに接触するように移動する。また、索道ロープ１１は、受粉部１２が花房４１に接触した状態で受粉部１２を回動させる。当該索道ロープ１１の動作によって受粉部１２が移動および回転することで、受粉部１２は、イチゴのおしべから花粉を吸着しつつ、めしべに花粉を受粉させる。
【０１００】
（効果）
受粉システム３０では、イチゴ栽培用具２１を用いることによって花房４１を整列した状態で係留できることを利用して、シンプルな動作によって自動的に受粉作業を行なうことができる。このため、毛筆による受粉作業よりも、大幅に作業時間を短縮することができる。
【０１０１】
また、受粉システム３０では、受粉部１２を用いておしべの花粉を吸着し、当該花粉をめしべに受粉することかできる。従って、植物工場、特に蜂による受粉が困難である室内栽培においても好適に使用することができる。また、植物体に振動を加えることによって花粉を散らすことでめしべに受粉させるよりも、より的確に受粉作業を行なうことができる。
【０１０２】
〔まとめ〕
本発明の態様１に係るイチゴ栽培用具は、イチゴの花房を支持する支持面を有する支持部材（分離板１）と、上記支持面に対して上記花房を係留する係留部材（留め具２）とを備え、上記支持部材は、上記イチゴの栽培容器（プランタ５０）が設置された設置面に立てた垂線に対して傾くように、上記栽培容器に対して配置可能である。
【０１０３】
上記構成によれば、イチゴの栽培容器が設置された設置面に立てた垂線に対して傾くように栽培用容器に対して配置された支持部材の支持面上に、係留部材によって花房が係留される。
【０１０４】
これによって、花房を葉群から離れた位置に係留できるようになる。従って、クラウンと呼ばれるイチゴ株の中央付近から成長し、通常最初は葉群に隠れて存在している花托を擁する花房を初期の段階において、葉群から離れた位置に係留することができる。また、花房は、係留部材によって支持部材の支持面上に係留されるため、花托が軽い成熟していない花房と、花托が重い成熟した花房とにおいて花房の高さにばらつきが生じることがない。
【０１０５】
このため、作業者は、イチゴの摘果およびイチゴの摘葉といった作業の度に、視認によって葉群に隠れた花房の位置を逐一判別する必要がなくなる。このため、作業者が果実に傷がつかないように配慮しながら作業を行なうこという負担を軽減することができる。また、受粉に際しても、摘果および摘葉の作業の場合と同様に、作業の度に葉群に隠れた花房を探して作業をする必要がなくなる。
【０１０６】
また、係留部材によって、花房を支持部材の支持面上に高さのばらつきなく整列して係留することができるため、受粉および果実の収穫などの作業を好適に行なうことができる。従って、作業効率を向上させ、作業投入時間を短縮することができる。また、非熟練者であっても好適に作業を行なうことができる。
【０１０７】
また、本発明のイチゴ栽培用具では、イチゴ株の葉群から離れた位置に整列した状態で花房を係留することが可能であるため、イチゴの栽培容器において成長するイチゴ株の葉群の領域を限定しないようにすることができる。従って、支持部材によって葉群を密集させることがないため、イチゴの葉群は十分な栽培光を受けることができるようになる。
【０１０８】
なお、支持部材は、イチゴの栽培容器が設置された設置面に立てた垂線に対して、０°よりも大きく、９０°以下に傾くように配置することが好ましい。これによって、支持部材の支持面上において、イチゴの花芽の重量が分散される。従って、イチゴの茎の一部に花芽による荷重が集中することがなく、イチゴの茎に負担をかけないようにすることができる。
【０１０９】
本発明の態様２に係るイチゴ栽培用具では、上記態様１において、上記係留部材（留め具２Ａ・２Ｂ）は、少なくとも２つの端部を有し、支持面には、上記端部を挿入可能な開口部または凹部（開口部（または凹部）４）が形成されている。
【０１１０】
上記構成によれば、支持部材の支持面上に形成された開口部または凹部に、係留部材が有する少なくとも２つの端部を挿入することによって、支持部材の支持面上にイチゴの花房を簡単な構成で係留することができる。
【０１１１】
本発明の態様３に係るイチゴ栽培用具では、上記態様１または２において、上記係留部材（留め具２’）は、磁石を含む少なくとも２つの端部を有し、上記支持部材は、上記磁石を固定可能な磁性体を有している。
【０１１２】
上記構成によれば、磁性体を有する支持部材の支持面上に、磁石を含む少なくとも２つの端部によって係留部材は固定される。これによって、簡便な操作で係留部材を支持部材の支持面上に固定することができる。
【０１１３】
また、係留部材を支持部材の支持面上に磁力によって固定することができる。このため、支持部材の支持面に開口部または凹部を設ける必要がなく、支持面を平坦な構成にすることができる。このため、開口部または凹部にイチゴの葉および花びらなどの老廃物が蓄積されることがなく、支持部材を衛生に保つことができる。
【０１１４】
また、係留部材は、磁力によって支持部材の平坦な支持面に固定される。このため、係留部材を支持部材から脱着するときに、引っ掛かりなどによって係留部材が変形することがない。従って、繰り返し使用する場合において、メンテナンスに係る負担を軽減することができる。
【０１１５】
本発明の態様４に係るイチゴ栽培用具では、上記態様１〜３のいずれかにおいて、上記係留部材（留め具２・２’）の表面の少なくとも一部に緩衝部材が配されている。
【０１１６】
上記構成によれば、イチゴの花房を係留部材によって係留する際、イチゴの花房に傷をつけることを防止することができる。
【０１１７】
本発明の態様５に係るイチゴ栽培用具は、上記態様１〜４のいずれかにおいて、外見が互いに異なる複数種類の上記係留部材（留め具２’・２’ａ・２’ｂ）を備えている。
【０１１８】
上記構成によれば、係留部材の外見によって、係留されたイチゴの花房を容易に判別することができる。
【０１１９】
これによって、栽培におけるデータの収集を行なうときに、イチゴの花房を区別することが容易になり、データ収集を効率的に行なうことができる。ここで、本態様５に用いられる複数の係留部材は、３１種類以上の形態（外見）の違いによって互いに区別できるようにすることが好ましい。つまり、ひと月の最大日数以上の種類の形態によって、留め具を互いに区別できるようにすることが好ましい。これによって、花房の発生日から収穫の日までに要した日数を適切に判断し、記録することができるようになる。
【０１２０】
本発明の態様６に係るイチゴ栽培用具は、上記態様１〜５のいずれかにおいて、上記係留部材（留め具２・２’）は、情報の記録および読み出し可能な記録媒体を備えている。
【０１２１】
上記構成によれば、栽培に関するデータをイチゴの花房ごとに効率的に記録および読み出しことができるようになる。
【０１２２】
従って、記録媒体を用いることによって、栽培時における情報収集および情報の評価も含めた作業時間の短縮を達成することができる。また、非熟練者が情報の記録作業を行なう場合であっても、記録に要する時間を短縮することができる。
【０１２３】
また、記録媒体を用いることによって、栽培に関する各種条件および収量に関するデータを好適に取得し、評価することができる。このため、評価後のデータを、以後の栽培におけるイチゴの収量の増大のためにフィードバックすることができる。つまり、栽培における作業工程の簡素化、マニュアル化に役立てることができる。
【０１２４】
本発明の態様７に係るイチゴ栽培用具は、上記態様１〜６のいずれかにおいて、上記支持部材（分離板１”）の外周部の一辺に設けられたヒンジと、当該ヒンジを介して上記支持部材に接続された装着部材とをさらに備えている。
【０１２５】
上記構成によれば、装着部材をイチゴ栽培容器の縁部に掛止する、イチゴ栽培容器に充填された培地の中に挿入するなどの方法によって、支持部材をイチゴの栽培容器に対して簡便に固定することができる。
【０１２６】
また、ヒンジにおいて生じる摩擦を利用することで、支持部材の支持面の角度を任意の角度で固定することが可能となる。従って、栽培時には茎に負担がかからない角度に支持面を固定し、受粉時および収穫時には作業者の都合に合わせて、作業しやすい角度に支持面を固定することができる。従って、作業を効率的に行なうことができるようになる。
【０１２７】
本発明の態様８に係るイチゴ栽培用具は、上記態様１〜７のいずれかにおいて、上記支持面によって支持された上記花房に到達する光を遮る遮光板をさらに備えている。
【０１２８】
上記構成によれば、遮光板は、係留部材によって支持部材の支持面の上に係留された花房の上の空間に、花房に照射される光を遮断するように支持される。
【０１２９】
従って、イチゴの花房に対しては十分に遮光しつつ、イチゴの葉群に対しては十分な光を照射することが可能となる。このため、花托にアントシアニンが蓄積することを防ぎ、果実が赤くなることを抑制することができる。従って、希少である白いイチゴを意図的に生産することができる。
【０１３０】
本発明の態様９に係るイチゴ栽培用具では、上記態様１〜８のいずれかにおいて、上記遮光板は、上記光を反射する反射面を有している。
【０１３１】
上記構成によれば、遮光板は、反射面によって光を反射することができるようになる。
【０１３２】
従って、反射した光をイチゴの葉群に照射できるようになる。これによって、イチゴの葉群の光合成の効率を上げることができる。
【０１３３】
本発明の態様１０に係るイチゴ栽培用具では、上記態様１〜９のいずれかにおいて、上記遮光板は、上記イチゴの栽培容器（プランタ５０）に対して任意の角度で遮光板を固定する固定部を備えている。
【０１３４】
上記構成によれば、光が照射される角度に応じて、任意の角度に遮光板を固定することができる。
【０１３５】
従って、イチゴの花房に対しては十分に遮光しつつ、イチゴの葉群に対して反射光が十分に照射できるように遮光板の角度を調整することかできる。
【０１３６】
本発明の態様１１に係る受粉システムは、上記態様１〜１０のいずれかのイチゴ栽培用具と、上記支持面の上方に敷設されたガイド部材（索道ロープ１１）と、ガイド部材（索道ロープ１１）を利用して移動または回転する受粉部とを備え、上記受粉部は、繊維状物質を有している。
【０１３７】
上記構成によれば、花房は、ガイド部材の下に位置するように係留部材によって支持面の上に係留される。ここで、花房は、負の重力屈性によって鉛直方向に向かって上側を向く。ここで、ガイド部材を利用して受粉部を花房に接触するように移動または回転させることによって、花房に受粉させることができる。
【０１３８】
上記受粉システムは、イチゴ栽培用具を用いることによって花房を整列した状態で係留できることを利用して、シンプルな動作によって自動的に受粉作業を行なうことができる。このため、毛筆による受粉作業よりも、大幅に作業時間を短縮することができる。また、太陽光が届かないため蜂による受粉が行えない室内栽培のような人工環境においても、好適に受粉作業を行なうことができる。つまり、受粉作業においても作業効率を向上させ、作業投入時間を短縮することができる。
【０１３９】
また、上記受粉システムは、受粉部を用いておしべの花粉を吸着し、めしべに受粉することかできる。従って、植物体に振動を加えることによって花粉を散らすことでめしべに受粉させるよりも、個々のイチゴの花にある複数のめしべのそれぞれに高い確率で花粉を付着させることができる。
【０１４０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１４１】
本発明は、イチゴの栽培、特に屋内におけるイチゴの栽培に利用することができる。
【符号の説明】
【０１４２】
１      分離板（支持部材）
１’    分離板（支持部材）
１ａ    支持面
１’ａ  支持面
１”ａ  支持面
２      留め具（係留部材）
２Ａ    留め具（係留部材）
２Ｂ    留め具（係留部材）
２’    留め具（係留部材）
２’ａ  留め具（係留部材）
２’ｂ  留め具（係留部材）
３      緩衝部材
４      開口部（または凹部）
５      端部
５’    端部
６      ヒンジ
７      装着部材
８      遮光板
９      固定部
１０      支持部材
１０ａ    支持面
１１      索道ロープ（ガイド部材）
１２      受粉部
２０      イチゴ栽培用具
２１      イチゴ栽培用具
２２      イチゴ栽培用具
２３      イチゴ栽培用具
３０      受粉システム
４１      花房
【図１】
2014226057.tif 000003
【図２】
2014226057.tif 000004
【図３】
2014226057.tif 000005
【図４】
2014226057.tif 000006
【図５】
2014226057.tif 000007
【図６】
2014226057.tif 000008
【図７】
2014226057.tif 000009
【図８】
2014226057.tif 000010
【図９】
2014226057.tif 000011
【図１０】
2014226057.tif 000012
【図１１】
2014226057.tif 000013